(57)【要約】【課題】廃棄物処理において、排出事業者が廃棄物処理の管理を容易に行う技術を提供する廃棄物処理管理技術を提供する。【解決手段】排出する廃棄物の数量、種別等の廃棄物属性情報を、当該廃棄物の収集時に取得し、当該廃棄物の画像情報を、当該廃棄物の収集時に取得し、当該廃棄物の収集箇所の収集箇所情報を、当該廃棄物の収集時に取得し、当該廃棄物を収集する、そのような廃棄物処理業者に関連付けられた廃棄物処理業者情報を、当該廃棄物の収集時に取得し、前記画像情報、前記廃棄物属性情報、前記収集箇所情報、及び前記廃棄物処理業者情報を、個々の廃棄物毎に関連付けて格納し、当該廃棄物の廃棄箇所に関連付けられた、そのような廃棄箇所情報を、当該廃棄物の廃棄時に取得し、前記廃棄箇所情報を、個々の廃棄物毎に関連付けてデータベース１０４に格納する。【選択図】  図１
2004252551.tif 000002
【特許請求の範囲】
【請求項１】
廃棄物の排出を管理する方法であって、
排出する廃棄物の数量、種別等の廃棄物属性情報を、当該廃棄物の収集時に取得するステップと、
当該廃棄物の画像情報を、当該廃棄物の収集時に取得するステップと、
当該廃棄物の収集箇所の収集箇所情報を、当該廃棄物の収集時に取得するステップと、
当該廃棄物を収集する、そのような廃棄物処理業者に関連付けられた廃棄物処理業者情報を、当該廃棄物の収集時に取得するステップと、
前記画像情報、前記廃棄物属性情報、前記収集箇所情報、及び前記廃棄物処理業者情報を、個々の廃棄物毎に関連付けて格納するステップと、
当該廃棄物の廃棄箇所に関連付けられた、そのような廃棄箇所情報を、当該廃棄物の廃棄時に取得するステップと、
前記廃棄箇所情報を、個々の廃棄物毎に関連付けて格納するステップと、を備える廃棄物処理管理方法。
【請求項２】
当該廃棄物の位置情報を、人工衛星によって取得するステップをさらに備え、
前記収集箇所情報及び前記廃棄箇所情報には、前記位置情報を用いる、請求項１に記載の廃棄物処理管理方法。
【請求項３】
前記画像情報、前記廃棄物属性情報、前記収集箇所情報、及び前記廃棄物処理業者情報に基づいて、当該廃棄物を収集する廃棄物処理業者に対する収集指示情報を生成するステップと、
前記収集指示情報を当該廃棄物処理業者側に備えられた端末に送信するステップと、をさらに備える請求項１または２に記載の廃棄物処理管理方法。
【請求項４】
廃棄物の排出を、コンピュータに管理させるプログラムであって、
排出する廃棄物の数量、種別等の廃棄物属性情報を、当該廃棄物の収集時に取得するステップと、
当該廃棄物の画像情報を、当該廃棄物の収集時に取得するステップと、
当該廃棄物の収集箇所の収集箇所情報を、当該廃棄物の収集時に取得するステップと、
当該廃棄物を収集する、そのような廃棄物処理業者に関連付けられた廃棄物処理業者情報を、当該廃棄物の収集時に取得するステップと、
前記画像情報、前記廃棄物属性情報、前記収集箇所情報、及び前記廃棄物処理業者情報を、個々の廃棄物毎に関連付けて格納するステップと、
当該廃棄物の廃棄箇所に関連付けられた、そのような廃棄箇所情報を、当該廃棄物の廃棄時に取得するステップと、
前記廃棄箇所情報を、個々の廃棄物毎に関連付けて格納するステップと、を実行させる廃棄物処理管理プログラム。
【請求項５】
当該廃棄物の位置情報を、人工衛星によって取得するステップをさらに実行させ、
前記収集箇所情報及び前記廃棄箇所情報には、前記位置情報を用いる、請求項４に記載の廃棄物処理管理プログラム。
【請求項６】
前記画像情報、前記廃棄物属性情報、前記収集箇所情報、及び前記廃棄物処理業者情報に基づいて、当該廃棄物を収集する廃棄物処理業者に対する収集指示情報を生成するステップと、
前記収集指示情報を当該廃棄物処理業者側に備えられた端末に送信するステップと、をさらに実行させる請求項４または５に記載の廃棄物処理管理プログラム。
【請求項７】
廃棄物の排出を管理する装置であって、
排出する廃棄物の数量、種別等の廃棄物属性情報を、当該廃棄物の収集時に取得する手段と、
当該廃棄物の画像情報を、当該廃棄物の収集時に取得する手段と、
当該廃棄物の収集箇所の収集箇所情報を、当該廃棄物の収集時に取得する手段と、
当該廃棄物を収集する、そのような廃棄物処理業者に関連付けられた廃棄物処理業者情報を、当該廃棄物の収集時に取得する手段と、
前記画像情報、前記廃棄物属性情報、前記収集箇所情報、及び前記廃棄物処理業者情報を、個々の廃棄物毎に関連付けて格納する手段と、
当該廃棄物の廃棄箇所に関連付けられた、そのような廃棄箇所情報を、当該廃棄物の廃棄時に取得する手段と、
前記廃棄箇所情報を、個々の廃棄物毎に関連付けて格納する手段と、を備える廃棄物処理管理装置。
【請求項８】
当該廃棄物の位置情報を、人工衛星によって取得する手段をさらに備え、
前記収集箇所情報及び前記廃棄箇所情報には、前記位置情報を用いる、請求項７に記載の廃棄物処理管理装置。
【請求項９】
当該廃棄物の収集時に、
前記画像情報、前記廃棄物属性情報、前記収集箇所情報、及び前記廃棄物処理業者情報に基づいて、当該廃棄物を収集する廃棄物処理業者に対する収集指示情報を生成する手段と、
前記収集指示情報を当該廃棄物処理業者側に備えられた端末に送信する手段と、をさらに備える請求項７または８に記載の廃棄物処理管理装置。
【発明の詳細な説明】
【０００１】
【発明の属する技術分野】
本発明は、廃棄物処理の管理技術に関する。
【０００２】
【従来の技術】
一般に、建築作業現場等では、建築作業等を行った事業者によって、コンクリートがら、或いは木材等、様々な廃棄物が排出される。このような場合、廃棄物処理業者に排出した廃棄物の収集及び運搬を委託する場合には、廃棄物処理法に則って、当該廃棄物の処理を監視しなければならない。
【０００３】
即ち、廃棄物の処理を廃棄物処理業者に委託する場合には、前記事業者自身が、収集時に廃棄物の種別、或いは数量等の廃棄物の情報を確認する。そして、前記事業者は、上記の廃棄物の情報を参照して、マニフェスト伝票を発行しなくてはならない。
【０００４】
マニフェスト伝票とは、産業廃棄物、建設廃棄物などの廃棄物処理及び使用済み製品のリサイクル処理時における排出証明書である。そして、排出事業者、及び処理業者は、マニフェスト（管理票）を用いて、廃棄物の情報を確認している。
【０００５】
通常、廃棄物処理作業全般に関しては、廃棄処理、及びリサイクル処理は排出者の管理責任である。従って、排出事業者は、廃棄物の運搬及び処分が、適正に行われたか否かをマニフェストによって確認する必要がある。
【０００６】
また、一般に廃棄物の処理は、排出、運搬、及び処分の順で行われる。そして、排出事業者は、運搬事業者、或いは中間処理業者と言った、いわゆる廃棄物処理業者に処理作業を委託していた。
【０００７】
ところで、従来のマニフェストの管理は以下のようにして行われていた。まず、廃棄物処理業者は、排出事業者から受け付けた、廃棄物の種類、或いは受入量等の廃棄物情報が記載されたマニフェスト伝票データを参照して、発生する廃棄物の種類を１つ又は複数に振り分ける処理を行なう。そして、その振り分けられた種類毎に累積されたデータに基づき、最終処分場へ廃棄物の処分を委託する。このときに、廃棄物処理業者は、該当する受託した廃棄物のうち、一つまたは複数の廃棄物をオペレータが受託時の受入量から想定して選択する。さらに、排出事業者は、個々の廃棄物毎に情報を記入して、処分するマニフェスト伝票を起票している。
【０００８】
そして、マニフェスト伝票に紙の伝票を使用して、収集運搬業者に回収を委託する場合には、廃棄物が発生した現地で伝票確認を行い、その場で廃棄物の受け渡しを行う必要がある。また、電子的にマニフェスト伝票を発行する制度を利用する場合は、処理端末に必要事項を入力するだけでマニフェストの発行が可能である。
【０００９】
上記のような廃棄物処理に関してマニフェスト伝票の管理を行う技術として、最終処分場に処分委託するにあたってのマニフェストデータの紐付け作業を適正かつ効率良く行う技術が開示されている（例えば、特許文献１参照）。
【００１０】
【特許文献１】
特開２００３−１２１０８号公報
【発明が解決しようとする課題】
しかしながら、従来のマニフェスト伝票の管理技術では、廃棄物が廃棄物処理業者によって適正に処理されたか否かを確認するという、廃棄物処理法における排出事業者の管理責任を支援することは鑑みられていなかった。
【００１１】
例えば、特許文献１の技術では、マニフェストデータによる廃棄物に振り分けを効率的に行うことは可能となったが、廃棄物が廃棄物処理業者によって適正に処理されたか否かを確認することは鑑みられていなかった。
【００１２】
また、廃棄物処理法の下では、例えば、配水管の取り替えを行うような小規模の営繕工事においても、排出事業者となる施工会社の社員が工事終了時に、収集運搬業者に回収を依頼し、現地にて廃棄物の受け渡しを行わなくてはならない。従って、工事が小規模で、多数の現場を移動する業務の効率性を著しく阻害することになる。
【００１３】
本発明は上記事項に鑑みて為されたものであり、廃棄物処理において、排出事業者が廃棄物処理の管理を容易に行う技術を提供することを、解決すべき課題とする。
【００１４】
【課題を解決するための手段】
本発明は前記課題を解決するために、以下の手段を採用した。
【００１５】
すなわち、本発明は、排出する廃棄物の数量、種別等の廃棄物属性情報を、当該廃棄物の収集時に取得し、当該廃棄物の画像情報を、当該廃棄物の収集時に取得し、当該廃棄物の収集箇所の収集箇所情報を、当該廃棄物の収集時に取得し、当該廃棄物を収集する、そのような廃棄物処理業者に関連付けられた廃棄物処理業者情報を、当該廃棄物の収集時に取得し、前記画像情報、前記廃棄物属性情報、前記収集箇所情報、及び前記廃棄物処理業者情報を、個々の廃棄物毎に関連付けて格納し、当該廃棄物の廃棄箇所に関連付けられた、そのような廃棄箇所情報を、当該廃棄物の廃棄時に取得し、前記廃棄箇所情報を、個々の廃棄物毎に関連付けて格納するようにした。
【００１６】
本発明によれば、排出事業者が排出する廃棄物に関する上記各種情報を取得し、上記各種情報を個々の廃棄物毎に格納して管理することによって、排出事業者は、当該廃棄物が適正に処理されたか否かを容易且つ正確に確認することができる。
【００１７】
また、本発明は、当該廃棄物の位置情報を人工衛星によって取得し、前記収集箇所情報及び前記廃棄箇所情報には、前記位置情報を用いるようにしてもよい。
【００１８】
本発明によれば、当該廃棄物の位置情報を正確に取得するため、廃棄物処理業者によって、当該廃棄物が予定された排出箇所に適正に排出されたか否かを容易且つ正確に確認することができる。
【００１９】
さらに、本発明は、前記画像情報、前記廃棄物属性情報、前記収集箇所情報、及び前記廃棄物処理業者情報に基づいて、当該廃棄物を収集する廃棄物処理業者に対する収集指示情報を生成し、前記収集指示情報を当該廃棄物処理業者側に備えられた端末に送信するようにしてもよい。
【００２０】
本発明によれば、取得した上記各種情報に基づいて、廃棄物処理業者が廃棄物を収集する際に参照する収集指示情報を前記廃棄物処理業者に提供することによって、廃棄物収集等の廃棄物処理作業を効率的に行うことができる。
【００２１】
【発明の実施の形態】
以下、図面を参照して、本発明の好適な実施の形態を説明する。
【００２２】
〈装置構成〉
本発明の廃棄物処理管理方法の一実施の形態に係る廃棄物処理管理装置を、図１から図２の図面に基づいて説明する。本実施の形態において、本発明の廃棄物処理管理方法を実現するために、サーバ装置、或いはコンピュータ等の情報処理装置に廃棄物処理管理プログラムを導入（インストール）する。そして、本実施の形態では、このような情報処理装置を廃棄物処理管理装置とする。この廃棄物処理管理装置は、排出事業者側に備えられた排出事業者端末と、汎用のネットワークを介して接続する。また、廃棄物処理管理装置は、廃棄物処理業者側で用いる、画像取得機能及びＧＰＳ（Ｇｌｏｂａｌ  Ｐｏｓｉｔｉｏｎｉｎｇ  Ｓｙｓｔｅｍ）機能を有する携帯電話或いは携帯情報端末等の廃棄物処理業者端末と、上記の汎用のネットワークを介して接続する。そして、廃棄物処理管理装置は、上記の排出事業者端末及び廃棄物処理業者端末に接続することで、システムを構築して廃棄物処理の管理を行うこととする。
【００２３】
図１は、本発明の一実施の形態に係る、ネットワークの構築例を示す。図１において、符号１は、廃棄物処理業者端末である。また、符号２は、排出事業者端末である。さらに、符号３は、廃棄物処理管理装置である。そして、符号４は、インターネット等の汎用のネットワークである。
【００２４】
廃棄物処理業者端末１は、上述のように、画像取得機能及びＧＰＳ（Ｇｌｏｂａｌ  Ｐｏｓｉｔｉｏｎｉｎｇ  Ｓｙｓｔｅｍ）機能を有する携帯電話或いは携帯情報端末等の通信端末である。また、廃棄物処理業者端末１は、上記の画像取得機能及びＧＰＳ機能を有する装置と、通信端末とを組み合わせた端末であってもよい。本実施の形態では、廃棄物処理業者端末１は、廃棄物の発生場所における画像情報、当該廃棄物の数量や種別に係わる廃棄物属性情報、及び排出時における廃棄物の位置情報を取得する。そして、廃棄物処理業者端末１は、ネットワーク４上の廃棄物処理管理装置３のデータベースに、上記の廃棄物に関する各種情報を送信する。
【００２５】
排出事業者端末２は、既存のコンピュータ等の情報処理装置を用いる。この排出事業者端末２は、排出事業者が排出した廃棄物の処理状況を、確認するための端末である。具体的には、排出事業者端末２では、ネットワークを介して廃棄物処理管理装置３のデータベース上の個々の廃棄物毎に関連付けられたマニフェストを索出する。従って、排出事業者は、データベース上のマニフェストを参照することで、この排出した廃棄物に関する各種情報を閲覧することができる。
【００２６】
廃棄物処理管理装置３は、上述のように、既存のサーバ装置等の情報処理装置を用いる。図２は、本実施の形態における廃棄物処理管理装置の構成要素を示す概略構成図である。
【００２７】
まず、廃棄物処理管理装置３には、ＣＰＵ（ｃｅｎｔｒａｌ  ｐｒｏｃｅｓｓｉｎｇ  ｕｎｉｔ）１０１とメインメモリ（ＭＭ）１０２とから構成され、アプリケーションプログラムに基づいて処理を行う、演算処理部１０３が設けられている。
【００２８】
前記演算処理部１０３には、バス１０８を介して、記憶装置１０４が接続される。なお、記憶装置１０４には、通常はハードディスク装置等の大容量記憶媒体を用いる。
【００２９】
そして、前記記憶装置１０４には、本廃棄物処理管理装置３が正常に機能するために必要なオペレーティングシステム（ＯＳ）がインストールされている。
【００３０】
また、前記記憶装置１０４内には、汎用のアプリケーションプログラムがインストールされている。
【００３１】
さらに、前記記憶装置１０４内には、本発明の廃棄物処理管理方法を実現するために作成された、コンピュータで実行可能な廃棄物処理管理プログラムがインストールされている。
【００３２】
これらのプログラムは、図示しないＣＤ−ＲＯＭ等の記憶媒体に格納されて本廃棄物処理管理装置３に提供され、図２に示されるＣＤ−ＲＯＭドライブ装置１０９等を通じて、前記記憶装置１０４内に実行可能な状態でインストールされる。
【００３３】
そして、ＣＰＵ１０１が必要に応じて記憶装置１０４内の廃棄物処理管理プログラムをメインメモリ１０２にロード（読み込み）し、順次実行することによって、本実施の形態における廃棄物処理管理装置を実現するための各種手段を備えている。
【００３４】
また、本廃棄物処理管理装置３の演算処理部１０３には、バス１０８を介して入力手段及び出力手段が接続されている。以下に、廃棄物処理管理装置３の入力手段及び出力手段の一例を挙げる。
【００３５】
まず、入力手段として、各種情報を入力するためのキーボード１０７、或いはマウス等のポインティングデバイスからなる、各種入力装置がバス１０８を介して演算処理部１０３に接続されている。
【００３６】
また、出力手段として、ディスプレイ１０６或いはプリンタ１０５等の出力装置が、バス１０８を介して演算処理部１０３に接続されている。
【００３７】
また、前記記憶装置１０４内には、本実施の形態のデータベースが設けられている。
【００３８】
前記データベース内に格納される情報の一例として、個々の廃棄物毎に関連付けられた廃棄物属性情報、廃棄物の収集箇所情報、廃棄物処理業者情報、或いは廃棄箇所情報等が挙げられる。
【００３９】
廃棄物処理管理装置３に送信された廃棄物に関する各種情報は、個々の廃棄物毎に付与されたマニフェスト（伝票）の番号により区画されたデータベースに格納される。この廃棄物マニフェストには、法律に基づき、排出事業者や収集運搬者等の廃棄物処理業者に関する、廃棄物処理業者情報が事前に格納される。そして、廃棄物処理管理装置３は、廃棄物に関する各種情報と廃棄物処理業者情報とを関連づけて、個々の廃棄物毎に廃棄物マニフェストをデータベースに格納する。
【００４０】
〈処理画面〉
次に、本実施の形態における、廃棄物処理管理について、廃棄物処理業者端末１並びに排出事業者端末２の画面表示、及び廃棄物処理管理に関するフローチャートを参照しつつ説明する。
【００４１】
図３から６は、カメラ等の画像取得機能、及びＧＰＳ情報取得機能付き携帯電話機を利用した廃棄物情報確認画面及び廃棄物情報取得画面の一例である。また、図７は、排出事業者端末２の廃棄物処理管理の確認画面の一例である。さらに、図８は、廃棄物処理管理装置３による、廃棄物処理管理に係る処理を説明するフローチャートである。
【００４２】
まず、廃棄物処理業者の作業者は、廃棄物処理業者端末１にあるキーボード等の入力装置（不図示）から、排出された廃棄物に関する各種情報を入力する。そして、廃棄物処理業者端末１は、この入力された廃棄物に関する各種情報を取得する（図８におけるステップ１０１、以下Ｓ１０１のように省略する）。このとき取得する当該廃棄物の各種情報として、廃棄物の画像情報、数量や種別等の廃棄物属性情報、及び収集箇所に関する収集箇所情報、が挙げられる。本実施の形態において、上記の各種情報の取得処理は、廃棄物処理業者端末１のディスプレイ（不図示）等の表示装置に表示される廃棄物情報取得画面に基づいて、各種情報を取得することができる。
【００４３】
この廃棄物に関する各種情報の取得について、具体的には以下のように画面が遷移して行われる。まず、図３に示す廃棄物情報確認画面１０により、廃棄物処理業者は、回収を依頼された廃棄物の情報を確認する。この廃棄物情報確認画面１０には、排出された廃棄物に関する、マニフェスト番号１０ａ、排出事業者の名称１０ｂ、排出事業者の所在地１０ｃ、排出事業者の作業所の名称１０ｄ、この作業所の電話番号等の連絡先１０ｅ、収集運搬作業を行う廃棄物処理業者の名称１０ｆ、及び当該廃棄物処理業者の担当者名１０ｇが表示される。また、廃棄物情報確認画面１０には、当該廃棄物の廃棄物属性情報を取得するための廃棄物情報取得画面１１へ移行させるためのメニューボタン１０ｈが設けられている。
【００４４】
廃棄物処理業者の作業者が廃棄物情報確認画面１０のメニューボタン１０ｈを指示すると、廃棄物処理業者端末１の表示画面は、廃棄物情報取得画面１１へ移行する。廃棄物情報取得画面１１には、当該廃棄物に関する情報として、マニフェスト番号１１ａ、廃棄物の種別、廃棄物の荷姿、数量、及び前記数量の単位を前記作業者が入力するための廃棄物属性情報入力部１１ｂが設けられている。この廃棄物属性情報入力部１１ｂは、プルダウンメニューになっている。そして、作業者は、廃棄物属性情報入力部１１ｂから当該廃棄物に適した情報を選択し決定する。この決定により、本実施の形態では、廃棄物属性情報が廃棄物処理業者端末１に入力される。また、廃棄物情報取得画面１１には、廃棄物属性情報を入力完了後、作業者が当該廃棄物の画像情報を取得するための画像情報取得画面１２へ移行を指示するメニューボタン１１ｃが設けられている。
【００４５】
図４の廃棄物情報取得画面１１により、廃棄物の種別・数量等を確認して入力完了後、この廃棄物情報取得画面１１は、図５の画面に移行する。図５の廃棄物情報取得画面１１には、当該廃棄物のマニフェスト番号１１ａ、種別１１ｄ、荷姿１１ｅ、数量１１ｆ、及び数量の単位１１ｇが表示される。作業者は、表示されるこれらの情報を確認して、メニューボタン１１ｃを指示する。指示を受け付けた廃棄物処理業者端末１は、表示画面を画像情報取得画面に移行する。
【００４６】
図６は、画像情報取得画面１２の一例である。この画像情報取得画面１２には、当該廃棄物のマニフェスト番号１２ａ、画像情報表示部１２ｂ、収集箇所の位置情報表示部１２ｃ、画像情報及び位置情報の確定ボタン１２ｄ、及び情報送信ボタン１２ｅが設けられている。作業者は、当該廃棄物の画像情報を、廃棄物処理業者端末１のカメラ等の画像取得手段によって撮影し、画像情報表示部１２ｂでこの画像情報を確認する。この確認処理を受け付けることによって、廃棄物処理業者端末１は、当該廃棄物の画像情報を取得する（Ｓ１０２）。
【００４７】
また、廃棄物処理業者端末１がＧＰＳによる位置情報を取得し、作業者は、この位置情報を位置情報表示部１２ｃで確認する。この確認処理を受け付けることによって、廃棄物処理業者端末１は、当該廃棄物の収集箇所情報を取得する（Ｓ１０３）。
【００４８】
そして、情報送信ボタン１２ｅを指示することで、廃棄物処理業者端末１は、画像情報及び位置情報を、廃棄物処理管理装置３に送信する。
【００４９】
当該廃棄物に関する廃棄物属性情報、画像情報、及び収集箇所情報を取得した廃棄物処理管理装置３は、これらの情報をデータベースに個々の廃棄物毎に格納する（Ｓ１０４）。
【００５０】
排出事業者端末２では、廃棄物処理管理装置３がデータベースに格納したマニフェストを参照することで、当該廃棄物の各種情報を索出することができる。また、排出事業者端末２では、当該廃棄物の各種情報から、廃棄物処理業者に対する収集指示情報を生成して、その排出事業者に収集指示を与えることができる。
【００５１】
図７は、排出事業者端末２に出力された、当該廃棄物の情報を示す、廃棄物管理画面の一例である。図７において、この廃棄物管理画面を符号２０で示す。
【００５２】
廃棄物管理画面２０には、当該廃棄物に関連付けられた各種情報が表示される。廃棄物管理画面２０に表示される当該廃棄物に関連付けられた各種情報として、マニフェスト番号２０ａ、種別２０ｂ、現在位置の地図画像情報２０ｃ、当該廃棄物の画像情報２０ｄ、収集箇所情報２０ｅ、現在位置情報２０ｆ、数量（容積）２０ｇ、数量（重量）２０ｈ、排出事業者情報２０ｉ、廃棄物処理業者情報２０ｋ、現在時刻２０ｍ、及び担当者（照合者）名２０ｎが表示される。また、廃棄物管理画面２０には、画像情報保存ボタン２０ｊ、及び廃棄物管理情報確認ボタン２０ｌが備えられる。画像情報保存ボタン２０ｊを排出事業者側で指示することで、廃棄物処理管理装置３では当該廃棄物の画像情報を保存することができる。廃棄物管理情報確認ボタン２０ｌを排出事業者の作業者が指示することで、排出事業者端末２は、この廃棄物管理画面２０の出力を終了する。
【００５３】
これらの当該廃棄物の各種情報を参照することで、排出事業者では、当該廃棄物の処理の管理を容易且つ正確に行うことができる。また、排出事業者では、この廃棄物管理画面２０の情報を廃棄物処理業者端末１に送信することで、当該廃棄物の収集指示を与えることができる。
【００５４】
このように、本実施の形態では、同様の画面で廃棄物の排出状況の画像を保管及び管理ができるため定期的・集約的な処理も可能となる。
【００５５】
〈実施の形態の効果〉
本実施の形態に係る廃棄物処理管理方法を実現することにより、以下のような効果が得られる。
【００５６】
本実施の形態に係る廃棄物処理管理方法によれば、現場での廃棄物の受け渡し情報を管理できるため、小規模作業所においても廃棄物の排出管理を適正に行うことができる。従って、本実施の形態では、排出事業者の責務を果たしつつ、不法投棄を防止することができ、且つ廃棄物の受け渡しや管理に要する人件費を削減することが可能となる。
【００５７】
〈変形例〉
本実施の形態において、本発明の廃棄物処理管理方法は、主に上記の一例について説明したが、本発明ではこれに限らず、その他の廃棄物処理管理方法に対して広く実施することができる。
【００５８】
本実施の形態では、本廃棄物処理管理装置３には、これらの入力手段及び出力手段は、本実施の形態の装置構成に限定されるものではない。
【００５９】
例えば、本廃棄物処理管理装置３には、入力手段及び出力手段を備えずに、排出事業者端末２等からネットワークを介して入出力を行うようであってもよい。
【００６０】
また、例えば、廃棄物処理業者端末１で用いる携帯電話機等の携帯情報端末は、画像撮影機能及びＧＰＳ情報取得機能を有したものでなく、これらの機能を有する装置を通常の携帯電話機に接続して用いてもよい。
【００６１】
また、例えば、本実施の形態において、廃棄物処理管理装置３と排出事業者端末２との機能を、単一の装置にて実現してもよい。
【００６２】
【発明の効果】
本発明の廃棄物処理管理方法によれば、廃棄物処理において、排出事業者が廃棄物処理の管理を容易に行う技術を提供するという優れた効果を得ることができる。
【図面の簡単な説明】
【図１】本発明の実施の形態に係る、ネットワークの構成図である。
【図２】本実施の形態に係る、廃棄物処理管理装置３の概略構成図である。
【図３】本実施の形態に係る、廃棄物情報確認画面の一例である。
【図４】本実施の形態に係る、廃棄物情報取得画面の一例である。
【図５】本実施の形態に係る、廃棄物情報取得画面の廃棄物情報の入力完了後を示す図である。
【図６】本実施の形態に係る、画像情報取得画面の一例である。
【図７】本実施の形態に係る、廃棄物管理画面の一例である。
【図８】本実施の形態に係る、廃棄物処理管理のフローチャートである。
【符号の説明】
１                        廃棄物処理業者端末
２                        排出事業者端末
３                        廃棄物処理管理装置
４                        ネットワーク
１０                    廃棄物情報確認画面
１０ａ              マニフェスト番号
１０ｂ              排出事業者名称
１０ｃ              排出事業者所在地
１０ｄ              作業所名称
１０ｅ              作業所連絡先
１０ｆ              廃棄物処理業者名称
１０ｇ              担当者名
１０ｈ              メニューボタン
１１                    廃棄物情報取得画面
１１ａ              マニフェスト番号
１１ｂ              廃棄物属性情報入力部
１１ｃ              メニューボタン
１１ｄ              種別
１１ｅ              荷姿
１１ｆ              数量
１１ｇ              単位
１２                    画像情報取得画面
１２ａ              マニフェスト番号
１２ｂ              画像情報表示部
１２ｃ              位置情報表示部
１２ｄ              確定ボタン
１２ｅ              情報送信ボタン
２０                    廃棄物管理画面
２０ａ              マニフェスト番号
２０ｂ              種別
２０ｃ              地図画像情報
２０ｄ              画像情報
２０ｅ              収集箇所情報
２０ｆ              現在位置情報
２０ｇ              数量（容積）
２０ｈ              数量（重量）
２０ｉ              排出事業者情報
２０ｊ                画像情報保存ボタン
２０ｋ              廃棄物処理業者情報
２０ｌ              廃棄物管理情報確認ボタン
２０ｍ              現在時刻
２０ｎ              担当者（照合者）名
１０１              ＣＰＵ
１０２              メインメモリ
１０３              演算処理部
１０４              記憶装置
１０５              プリンタ
１０６              ディスプレイ
１０７              キーボード
１０８              バス
１０９              ＣＤ−ＲＯＭドライブ装置
【図１】
2004252551.tif 000003
【図２】
2004252551.tif 000004
【図３】
2004252551.tif 000005
【図４】
2004252551.tif 000006
【図５】
2004252551.tif 000007
【図６】
2004252551.tif 000008
【図７】
2004252551.tif 000009
【図８】
2004252551.tif 000010